(57)【特許請求の範囲】
【請求項１】
線路の分岐器の近傍でトングレールを定位と反位とに転換させる電気転てつ機において、
前記トングレールを定位と反位とに転換動作可能な動作かんと、動力により該動作かんと並んで往復運動するカムテーブルと、該カムテーブルに連動して連動位置と非連動位置とに揺動可能に該動作かんの移動方向に併設される定位用と反位用との各鎖錠こまと、前記カムテーブルの往復運動方向に沿って設けられる鎖錠ブロックとを有し、
前記鎖錠こまは、前記トングレールを転換する際に前記連動位置に揺動して前記カムテーブルに係合して、前記動作かんを前記カムテーブルに連動する連動状態にする一方、前記トングレールを転換した後に前記非連動位置に揺動して前記カムテーブルから外れ、前記動作かんを前記カムテーブルに連動しない非連動状態にし、
前記鎖錠ブロックは、前記各鎖錠こまを揺動不能に前記連動位置に拘束する拘束部と、前記各鎖錠こまを前記連動位置から前記非連動位置に揺動可能にする拘束解除部とを有することを特徴とする電気転てつ機。
【請求項２】
線路の分岐器の近傍でトングレールを定位と反位とに転換させる電気転てつ機において、
前記トングレールを定位と反位とに転換動作可能な動作かんと、動力により該動作かんと並んで往復運動するカムテーブルと、該カムテーブルに連動して連動位置と非連動位置とに揺動可能に該動作かんの移動方向に併設される定位用と反位用との各鎖錠こまと、前記カムテーブルの往復運動方向に沿って設けられる鎖錠ブロックと、前記トングレールに連動する鎖錠かんと、前記カムテーブルに連動して前記鎖錠かんを鎖錠するロックピースとを有し、
前記鎖錠こまは、前記トングレールを転換する際に前記連動位置に揺動して前記カムテーブルまたは前記動作かんの他方に係合し、前記動作かんを前記カムテーブルに連動する連動状態にする一方、前記トングレールを転換した後に前記非連動位置に揺動して前記カムテーブルまたは前記動作かんの他方から外れ、前記動作かんを前記カムテーブルに連動しない非連動状態にすることを特徴とする電気転てつ機。
【請求項３】
前記カムテーブルは、ナット部材が装着されていて、該ナット部材に螺合するスクリュー部材が正逆回転することにより往復運動するものであることを特徴とする請求項１または２に記載の電気転てつ機。
【請求項４】
前記スクリュー部材は、ボールねじであることを特徴とする請求項３に記載の電気転てつ機。
【発明の詳細な説明】
【０００１】
【発明の属する技術分野】
本発明は、線路の分岐器の近傍でトングレールを定位と反位とに転換させる電気転てつ機に関する。
【０００２】
【従来の技術】
従来、この種の電気転てつ機としては、例えば、図９および図１０に示すようなものがある。
すなわち、モータ１の動力を減速機構２を介して転換歯車３に伝え、転換歯車３に設けられた転換ローラ４が、動作かん５のカム溝部６に係合していて、転換ローラ４が回転運動すると、動作かん５がトングレールＴを定位と反位とに転換するものである。また、転換ローラ４が回転運動すると、カム部材（図示省略）が連動して、カム部材に取り付けられているロックピース（図示省略）が、鎖錠かん（図示省略）に係合して、鎖錠かんを介してトングレールＴを転換不能に定位と反位にそれぞれ拘束するものである。
【０００３】
【発明が解決しようとする課題】
しかしながら、前記従来の電気転てつ機では、減速機構２が多数の歯車から構成されていて、部品点数が多く、小型かつ軽量を図る上で支障になり、また、転換ローラ４とカム溝部６とを用いて、転換歯車３の回転方向の力を直線方向の力に変換して、動作かん５を駆動する構成であるので、動作かん５がトングレールＴを転換する際の転換力が一定にならず、転換力の最低時にも、トングレールＴを転換可能なように設定する必要があるので、必然的に出力の大きな大型のモータ１等が必要になり、その点からも小型かつ軽量を図る上で支障になるという問題点があった。
【０００４】
本発明は、このような従来技術が有する問題点に着目してなされたもので、往復運動するカムテーブルに鎖錠こまを介して動作かんが連動するように構成して、動作かんを駆動するための機構の部品点数を少なくして、転換力が一定になるように構成して、小型かつ軽量にすることができる電気転てつ機を提供することを目的とし、
また、前記カムテーブルにロックピースが連動して、鎖錠かんに係脱するように構成した電気転てつ機を提供することを目的としている。
【０００５】
【課題を解決するための手段】
かかる目的を達成するための本発明の要旨とするところは、次の各項の発明に存する。
［１］  線路の分岐器の近傍でトングレール（Ｔ）を定位と反位とに転換させる電気転てつ機において、
前記トングレール（Ｔ）を定位と反位とに転換動作可能な動作かん（３０）と、動力により該動作かん（３０）と並んで往復運動するカムテーブル（２０）と、該カムテーブル（２０）に連動して連動位置と非連動位置とに揺動可能に該動作かん（３０）の移動方向に併設される定位用と反位用との各鎖錠こま（６０，１６０）と、前記カムテーブル（２０）の往復運動方向に沿って設けられる鎖錠ブロック（１５）とを有し、
前記鎖錠こま（６０，１６０）は、前記トングレール（Ｔ）を転換する際に前記連動位置に揺動して前記カムテーブル（２０）に係合して、前記動作かん（３０）を前記カムテーブル（２０）に連動する連動状態にする一方、前記トングレール（Ｔ）を転換した後に前記非連動位置に揺動して前記カムテーブル（２０）から外れ、前記動作かん（３０）を前記カムテーブル（２０）に連動しない非連動状態にし、
前記鎖錠ブロック（１５）は、前記各鎖錠こま（６０，１６０）を揺動不能に前記連動位置に拘束する拘束部と、前記各鎖錠こま（６０，１６０）を前記連動位置から前記非連動位置に揺動可能にする拘束解除部とを有することを特徴とする電気転てつ機。
【０００６】
［２］  線路の分岐器の近傍でトングレール（Ｔ）を定位と反位とに転換させる電気転てつ機において、
前記トングレール（Ｔ）を定位と反位とに転換動作可能な動作かん（３０）と、動力により該動作かん（３０）と並んで往復運動するカムテーブル（２０）と、該カムテーブル（２０）に連動して連動位置と非連動位置とに揺動可能に該動作かん（３０）の移動方向に併設される定位用と反位用との各鎖錠こま（６０，１６０）と、前記カムテーブル（２０）の往復運動方向に沿って設けられる鎖錠ブロック（１５）と、前記トングレール（Ｔ）に連動する鎖錠かん（５０，１５０）と、前記カムテーブル（２０）に連動して前記鎖錠かん（５０，１５０）を鎖錠するロックピース（４０，１４０）とを有し、
前記鎖錠こま（６０，１６０）は、前記トングレール（Ｔ）を転換する際に前記連動位置に揺動して前記カムテーブル（２０）または前記動作かん（３０）の他方に係合し、前記動作かん（３０）を前記カムテーブル（２０）に連動する連動状態にする一方、前記トングレール（Ｔ）を転換した後に前記非連動位置に揺動して前記カムテーブル（２０）または前記動作かん（３０）の他方から外れ、前記動作かん（３０）を前記カムテーブル（２０）に連動しない非連動状態にすることを特徴とする電気転てつ機。
【０００７】
［３］  前記カムテーブル（２０）は、ナット部材（１７）が装着されていて、該ナット部材（１７）に螺合するスクリュー部材（１６）が正逆回転することにより往復運動するものであることを特徴とする項１または２に記載の電気転てつ機。
【０００８】
［４］  前記スクリュー部材（１６）は、ボールねじであることを特徴とする項３に記載の電気転てつ機。
【００１１】
次に、前記各項に記載された発明の作用を説明する。
本発明の一の構成によれば、鎖錠こま（６０，１６０）を介して、カムテーブル（２０）に動作かん（３０）が連動するようにしたものである。
【００１２】
すなわち、動力によりカムテーブル（２０）が往復運動すると、鎖錠こま（６０，１６０）が連動位置に変位している場合に、動作かん（３０）がカムテーブル（２０）に連動して、トングレール（Ｔ）が定位から反位へあるいは、反位から定位へ転換する。
【００１３】
トングレール（Ｔ）が定位から反位へあるいは、反位から定位へ転換した後に、鎖錠こま（６０，１６０）が非連動位置に変位し、カムテーブル（２０）が往復運動しても、動作かん（３０）が連動しないで、トングレール（Ｔ）が定位あるいは反位に維持される。
【００１４】
カムテーブル（２０）と鎖錠こま（６０，１６０）とを用いて、動力を動作かん（３０）に伝えることができ、動作かん（３０）に動力を伝えるための機構を多数の歯車により構成しないで、簡単な構成にすることにより、小型かつ軽量にすることができる。
【００１５】
また、カムテーブル（２０）を略直線方向に往復運動するようにして、そのカムテーブル（２０）に動作かん（３０）が同じく略直線方向に連動するようにすれば、トングレール（Ｔ）を転換するための転換力がほぼ一定になり、転換力が大きく低下することを考慮して、大きな動力を発揮する大型の機構にしないで済み、この点からも、機構を小型かつ軽量にすることができる。
【００１６】
また、本発明の別の構成は、カムテーブル（２０）または動作かん（３０）との一方に設けられる鎖錠こま（６０，１６０）が、カムテーブル（２０）または動作かん（３０）との他方に係脱することにより、動作かん（３０）を連動状態と非連動状態とにするものである。
【００１７】
すなわち、動力によりカムテーブル（２０）が往復運動すると、鎖錠こま（６０，１６０）が連動位置に揺動していて、カムテーブル（２０）または動作かん（３０）に係合している場合に、動作かん（３０）がカムテーブル（２０）に連動して、トングレール（Ｔ）が定位から反位へあるいは、反位から定位へ転換する。
【００１８】
トングレール（Ｔ）が定位から反位へあるいは、反位から定位へ転換した後に、鎖錠こま（６０，１６０）が非連動位置に揺動して、カムテーブル（２０）または動作かん（３０）から外れ、カムテーブル（２０）が往復運動しても、動作かん（３０）が連動しないで、トングレール（Ｔ）が定位あいるは反位に維持される。
【００１９】
さらに、鎖錠こま（６０，１６０）の揺動を制限するための鎖錠ブロック（１５）を有するものでは、カムテーブル（２０）に動作かん（３０）が連動して、トングレール（Ｔ）が転換している間、鎖錠ブロック（１５）の拘束部（１５ａ）が鎖錠こま（６０，１６０）を揺動不能に連動位置に拘束している。
【００２０】
一方、トングレール（Ｔ）が転換した後に、鎖錠ブロック（１５）の拘束解除部（１５ｂ）が鎖錠こま（６０，１６０）を連動位置から非連動位置に揺動可能にし、動作かん（３０）がカムテーブル（２０）に連動しないようになる。
【００２１】
また、カムテーブル（２０）にロックピース（４０，１４０）が連動するものでは、カムテーブル（２０）が往復運動すると、鎖錠こま（６０，１６０）を介して、動作かん（３０）がカムテーブル（２０）に連動し、それにより、トングレール（Ｔ）が定位から反位あるいは、反位から定位へ転換する。
【００２２】
トングレール（Ｔ）が転換すると、鎖錠かん（５０，１５０）が連動して各位置に移動し、各位置に移動した鎖錠かん（５０，１５０）にロックピース（４０，１４０）が鎖錠する。それにより、トングレール（Ｔ）が、鎖錠かん（５０，１５０）を介して転換不能に定位と反位にそれぞれ拘束される。
【００２３】
ロックピース（４０，１４０）がカムテーブル（２０）に連動するように構成されているので、ロックピース（４０，１４０）を動かすための機構を別途設ける必要がなく、簡易な構成になり、機構を小型かつ軽量にすることができる。
【００２４】
さらに、カムテーブル（２０）にナット部材（１７）が装着されていて、ナット部材（１７）に螺合するスクリュー部材（１６）が正逆回転することによりカムテーブル（２０）が往復運動するものでは、スクリュー部材（１６）の軸に沿って直線方向へ往復運動するカムテーブル（２０）に動作かん（３０）が連動するので、トングレール（Ｔ）を転換する転換力は一定になり、トングレール（Ｔ）を転換することができる必要最低限の転換力を発揮する構成にすることができ、トングレール（Ｔ）を転換するための機構を小型にすることができる。
【００２５】
また、複数の歯車を多段に配列して、転換力を得る駆動機構を有する転てつ機においては、ピッチ円直径の大きな歯車に変更したりあるいは歯車を追加し、転てつ機を大型にすることによって、所望の転換力を得るような場合に対して、本実施の形態の転てつ機においては、スクリュー部材（１６）のピッチを細かくすれば、より大きな出力を得ることができることにより、そのピッチを調整することにより所望の転換力を得ることができ、部品の形状の大幅な変更や部品点数の増加をする必要がなく、転てつ機が大型になるのを防止することができる。
【００２６】
さらに、スクリュー部材（１６）にボールねじを用いたものでは、ボールねじ（１６）を高速かつ円滑に回転することができるので、トングレール（Ｔ）を迅速かつ確実に転換することができる。
【００２７】
【発明の実施の形態】
以下、図１〜図８に基づき本発明の一実施の形態を説明する。図１は電気転てつ機の内部を示す平面図であり、図２は電気転てつ機の据付状態を示す平面図であり、図３は電気転てつ機の据付状態を示す正面図であり、図４は図２のＩＶ−ＩＶ線断面図であり、図８（ａ）は図１のＡ矢視図であり、図８（ｂ）は図７のＢ矢視図である。
【００２８】
図１〜図４および図８に示すように、電気転てつ機１０は線路の分岐器（図示省略）の傍らに設けられている。分岐器は主レールにトングレールＴが転換可能に設けられて成る。
【００２９】
電気転てつ機１０の箱形のケース１１内には、動力源であるモータＭ、カムテーブル２０および、ロックピース４０，１４０が設けられている。ケース１１の内側壁部には鎖錠ブロック１５が形成されている。
【００３０】
カムテーブル２０の下方にはボールねじであるスクリュー部材１６が回転可能に支持されている。カムテーブル２０は、スクリュー部材１６に螺合するナット部材１７を有している。モータＭの出力ピニオン１８が、スクリュー部材１６のギア１９に噛合していて、カムテーブル２０は、モータＭを正逆回転することにより、スクリュー部材１６のねじ軸方向に沿って往復運動可能に構成されている。
【００３１】
カムテーブル２０は、矩形状断面形に形成されていて、カムテーブル２０の一側縁２１の中央部には鎖錠ブロック１５との間の隙間を狭くした幅狭部２２が形成され、カムテーブル２０の一側縁２１の両端部には、鎖錠ブロック１５との間の隙間を広くした幅広部２３，１２３が形成されている。幅狭部２２と幅広部２３との間には段差部であるカム部２４が形成され、同じく幅狭部２２と幅広部１２３との間には段差部であるカム部１２４が形成されている。カム部２４，１２４は、前記往復運動方向に対して傾斜しており、互いに対称的に形成されている。
【００３２】
カムテーブル２０の他側縁２５の中央部には凸部２６が形成され、カムテーブル２０の他側縁２５の両端部には、凹部２７，１２７が形成されている。凸部２６と凹部２７との間には段差部であるカム部２８が形成され、同じく凸部２６と凹部１２７との間には段差部であるカム部１２８が形成されている。カム部２８，１２８は、前記往復運動方向に対して傾斜しており、互いに対称的に形成されている。
【００３３】
カムテーブル２０を間にして、鎖錠ブロック１５が形成された側に動作かん３０が設けられる一方、鎖錠ブロック１５と反対側に鎖錠かん５０，１５０が設けられている。動作かん３０は、鎖錠ブロック１５とカムテーブル２０との間の隙間にあって、カムテーブル２０の往復運動方向と平行な方向に変位可能にケース１１に支持されている。動作かん３０は、その一端部がアジャストロッド３１を介してトングレールＴに接続されていて、トングレールＴを定位と反位とに転換動作可能なものである。
【００３４】
同じく、鎖錠かん５０，１５０は、カムテーブル２０の往復運動方向と平行な方向に変位可能にケース１１に支持されている。鎖錠かん５０，１５０の各一端部は、接続かん５２を介してトングレールＴに接続されている。鎖錠かん５０，１５０の各中間部には、被鎖錠部５１，１５１が凹設されていて、ロックピース４０，１４０の各先端部には、鎖錠部４１，１４１が凸設されていて、ロックピース４０，１４０は、鎖錠部４１，１４１が鎖錠かん５０，１５０の被鎖錠部５１，１５１に嵌合することにより、鎖錠かん５０，１５０を介して、トングレールＴを定位または反位に鎖錠するものである。
【００３５】
動作かん３０には一対の鎖錠こま６０，１６０が設けられている。一対の鎖錠こま６０，１６０は、矢羽形状に形成されており、矢頭部６１，１６１および、矢尾部６２，１６２を有している。一対の鎖錠こま６０，１６０は、矢頭部６１，１６１が向かい合って配され、矢頭部６１，１６１を中心にして矢尾部６２，１６２が両側（鎖錠ブロック１５側とカムテーブル２０側との両側）に揺動可能に支持されている。
【００３６】
矢尾部６２は、一対の羽根６２ａ，６２ｂから成り、羽根６２ａが鎖錠ブロック１５側に広がり、羽根６２ｂがカムテーブル２０側に広がっている。同じく、矢尾部１６２は、一対の羽根１６２ａ，１６２ｂから成り、羽根１６２ａが鎖錠ブロック１５側に広がり、羽根１６２ｂがカムテーブル２０側に広がっている。
【００３７】
鎖錠こま６０，１６０は、トングレールＴを転換する際に動作かん３０をカムテーブル２０に連動する連動状態にすべくカムテーブル２０のカム部２４，１２４に係合する連動位置と、トングレールＴを転換した後に動作かん３０をカムテーブル２０に連動しない非連動状態にすべくカムテーブル２０のカム部２４，１２４から外れる非連動位置とに揺動可能に支持されている。
【００３８】
鎖錠ブロック１５は、鎖錠こま６０，１６０を揺動不能に連動位置に拘束する拘束部１５ａと、鎖錠こま６０，１６０を連動位置から非連動位置に揺動可能にする拘束解除部１５ｂとを有している。
【００３９】
鎖錠こま６０は、前記連動位置では、鎖錠ブロック１５と幅広部２３との間にあって、鎖錠こま６０の羽根６２ａが鎖錠ブロック１５の拘束部１５ａに摺動可能、かつ、鎖錠こま６０の羽根６２ｂがカム部２４に係合可能な状態であり、鎖錠こま１６０は、前記連動位置では、鎖錠ブロック１５と幅広部１２３との間にあって、鎖錠こま１６０の羽根１６２ａが鎖錠ブロック１５の拘束部１５ａに摺動可能、かつ、鎖錠こま１６０の羽根１６２ｂがカム部１２４に係合可能な状態である。
【００４０】
鎖錠こま６０は、前記非連動位置では、鎖錠ブロック１５の拘束解除部１５ｂと幅広部２３との間にあって、鎖錠こま６０の羽根６２ａが鎖錠ブロック１５の拘束解除部１５ｂ側へ揺動可能、かつ、鎖錠こま６０の羽根６２ｂがカム部２４から外れ可能な状態であり、鎖錠こま１６０は、前記非連動位置では、鎖錠ブロック１５の拘束解除部１５ｂと幅広部１２３との間にあって、鎖錠こま１６０の羽根１６２ａが鎖錠ブロック１５の拘束解除部１５ｂ側へ揺動可能、かつ、鎖錠こま１６０の羽根１６２ｂがカム部１２４から外れ可能な状態である。
【００４１】
ケース１１内には、一対のリンク部材７０，１７０が設けられている。リンク部材７０，１７０は、略く字形状に形成されており、その曲がり部７３，１７３が揺動可能に支持されている。
【００４２】
リンク部材７０，１７０の各一端部には、カムテーブル２０の他側縁２５上を転動する大カムローラ７１，１７１が設けられ、リンク部材７０，１７０の各他端部には、小カムローラ７２，１７２が設けられている。小カムローラ７２，１７２は、ロックピース４０，１４０のカム溝４２，１４２に嵌合している。リンク部材７０，１７０の揺動することにより、ロックピース４０，１４０がカムテーブル２０に連動可能に構成されている。
【００４３】
次に、図１および図５〜図７に基づいて、前記実施の形態の作用を説明する。図５〜図７は、電気転てつ機の各々の動作を示す動作状態説明図である。
【００４４】
図１に示すように、トングレールＴは例えば、定位にあって、ロックピース４０の鎖錠部４１が鎖錠かん５０の被鎖錠部５１に嵌合している。それにより、トングレールＴは転換不能に定位に拘束されている。
【００４５】
このとき、鎖錠こま６０は、連動位置に揺動していて、鎖錠こま６０の羽根６２ａは鎖錠ブロック１５の拘束部１５ａに摺動可能になっていて、鎖錠こま６０の羽根６２ｂは、カムテーブル２０のカム部２４に係合可能な状態にある。また、鎖錠こま１６０の羽根１６２ａは、鎖錠ブロック１５の拘束解除部１５ｂ側に揺動可能になっていて、鎖錠こま１６０は、その羽根１６２ｂがカムテーブル２０のカム部１２４から外れた非連動位置にある。
【００４６】
モータＭを正転すると、出力ピニオン１８を介してギア１９が回転し、それにより、スクリュー部材１６が回転し、カムテーブル２０がスクリュー部材１６のねじ軸に沿って図１において右方向へ移動する。それにより、図５に示すように、鎖錠こま６０の羽根６２ｂは、カムテーブル２０のカム部２４に係合し、鎖錠こま１６０の羽根１６２ｂは、カムテーブル２０のカム部１２４側へ揺動し、鎖錠こま１６０の羽根１６２ａが鎖錠ブロック１５の拘束部１５ａとカムテーブル２０との間の隙間に進入可能になり、カムテーブル２０がさらに右方向へ移動可能になる。このとき、動作かん３０はカムテーブル２０にまだ連動していない。
【００４７】
一方、リンク部材７０の大カムローラ７１がカムテーブル２０のカム部２８に乗り上がって、リンク部材７０が図１において、反時計方向へ揺動し、それにより、小カムローラ７２がロックピース４０のカム溝４２の溝壁を押して、ロックピース４０が図１において下方へ移動して、ロックピース４０の鎖錠部４１が鎖錠かん５０の被鎖錠部５１から外れ、トングレールＴが転換可能な状態になる。
【００４８】
図５において、カムテーブル２０がさらに右方向へ移動すると、カムテーブル２０のカム部２４が鎖錠こま６０の羽根６２ｂを右方向へ引き込むようになり、動作かん３０はカムテーブル２０に右方向へ連動し、動作かん３０が移動するに応じて、トングレールＴが定位から反位の方へ転換していく。
【００４９】
トングレールＴが反位に転換すると、図６に示すように、鎖錠こま６０の羽根６２ａが鎖錠ブロック１５の拘束解除部１５ｂ側に揺動可能な状態になり、さらに、カムテーブル２０が右方向へ移動すると、図７に示すように、鎖錠こま６０の羽根６２ｂがカムテーブル２０のカム部２４に押されて、鎖錠こま６０の羽根６２ａが鎖錠ブロック１５の拘束解除部１５ｂ側へ実際に揺動して、鎖錠こま６０が非連動位置に揺動し、カムテーブル２０のカム部２４から外れる。それにより、カムテーブル２０をさらに右方向へ移動した場合にも、カムテーブル２０に動作かん３０が連動することはない。
【００５０】
一方、カムテーブル２０が右方向へ移動して、トングレールＴが反位に転換すると、リンク部材１７０の大カムローラ１７１がカムテーブル２０のカム部１２８に沿って落ち込み、それにより、リンク部材１７０が図７において、反時計方向へ揺動して、リンク部材１７０の小カムローラ１７２がロックピース１４０のカム溝１４２の溝壁を引き込み、ロックピース１４０が図７において、上方へ移動することにより、ロックピース１４０の鎖錠部１４１が鎖錠かん１５０の被鎖錠部１５１に嵌合していて、トングレールＴは転換不能に反位に拘束される。
【００５１】
トングレールＴを反位から定位にするには、モータＭを逆転すればよい。それにより、動作かん３０は、図７に示す状態から図５に示す状態に戻る。すなわち、図７において、鎖錠こま１６０は、その羽根１６２ｂがカムテーブル２０のカム部１２４に係合可能な連動位置に揺動している。モータＭを逆転して、カムテーブル２０を図７において左方向へ移動すると、カムテーブル２０のカム部１２４が鎖錠こま１６０の羽根１６２ｂを左側へ引き込んで、動作かん３０が左方向へ移動していく。
【００５２】
カムテーブル２０が左方向へ移動すると、リンク部材１７０の大カムローラ１７１がカムテーブル２０のカム部１２８に乗り上がり、それにより、リンク部材１７０が図７において、時計方向へ揺動して、リンク部材１７０の小カムローラ１７２がロックピース１４０のカム溝１４２の溝壁を押し込み、ロックピース１４０が図７において、下方へ移動することにより、ロックピース１４０の鎖錠部１４１が鎖錠かん１５０の被鎖錠部１５１から外れて、トングレールＴは転換可能な状態になる。
【００５３】
図５に示すように、トングレールＴが定位に転換した後には、鎖錠こま１６０の羽根１６２ａは鎖錠ブロック１５の拘束解除部１５ｂ側に揺動可能な状態になり、カムテーブル２０のカム部１２４が鎖錠こま１６０の羽根１６２ｂを押すと、鎖錠こま１６０の羽根１６２ａは鎖錠ブロック１５の拘束解除部１５ｂ側に揺動して、鎖錠こま１６０は、その羽根１６２ｂがカムテーブル２０のカム部１２４から外れる非連動位置に揺動する。
【００５４】
カムテーブル２０をさらに左方向へ移動しても、鎖錠こま１６０の羽根１６２ｂがカムテーブル２０のカム部１２４から外れているので、図１に示すように、カムテーブル２０に動作かん３０が連動することはない。
【００５５】
また、図５において、カムテーブル２０をさらに左方向へ移動することにより、リンク部材７０の大カムローラ７１がカムテーブル２０のカム部２８に沿って落ち込み、リンク部材７０が図５において、時計方向へ揺動し、それにより、小カムローラ７２がロックピース４０のカム溝４２の溝壁を引き込み、ロックピース４０が図５において上方へ移動して、図１に示すように、ロックピース４０の鎖錠部４１が鎖錠かん５０の被鎖錠部５１に嵌合し、それにより、トングレールＴは転換不能に定位に拘束される。
【００５６】
なお、前記実施の形態においては、鎖錠こま６０，１６０が動作かん３０に設けられ、カム部２４，１２４がカムテーブル２０に形成されているものを示したが、逆の態様であってもよい。すなわち、鎖錠こま６０，１６０をカムテーブル２０に設け、カム部を動作かん３０に設けてもよい。
【００５７】
また、鎖錠こま６０，１６０の一方を動作かん３０に設け、鎖錠こま６０，１６０の他方をカムテーブル２０に設けるようにしても良い。この場合に、各鎖錠こま６０，１６０に対応してカム部が設けられることはいうまでもない。
【００５８】
さらに、一対の鎖錠こま６０，１６０を設けたものを示したが、１つの鎖錠こまで構成することもできる。さらに、各鎖錠こま６０，１６０がカムテーブル２０のカム部２４，１２４に係脱することにより、動作かん３０をカムテーブル２０に連動する連動状態と、連動しない非連動状態とにするものを示したが、動作かん３０を連動状態と非連動状態とにする構成として、鎖錠こま６０，１６０がカムテーブル２０に係脱するものに限らないことはいうまでもない。
【００５９】
さらに、カムテーブル２０を駆動する機構が、スクリュー部材１６およびナット部材１７等から構成されるものを示したが、これに限定するものでなく、また、スクリュー部材１６はボールねじに限定するものではないことはいうまでもない。
【００６０】
【発明の効果】
以上説明したように、本発明の一の構成によれば、鎖錠こまを介して、動作かんがカムテーブルに連動するようにしたので、カムテーブルと鎖錠こまとを用いた簡単な機構により、動作かんを駆動することができ、部品点数を少なくして、機構を小型かつ軽量にすることができる。
【００６１】
また、ロックピースがカムテーブルに連動するようにしたので、ロックピースを動かすための機構を別途設ける必要がなく、簡易な構成になり、機構を小型かつ軽量にすることができる。
【図面の簡単な説明】
【図１】本発明の一実施の形態に係る電気転てつ機の内部を示す平面図である。
【図２】本発明の一実施の形態に係る電気転てつ機の据付状態を示す平面図である。
【図３】本発明の一実施の形態に係る電気転てつ機の据付状態を示す正面図である。
【図４】図２のＩＶ−ＩＶ線断面図である。
【図５】本発明の一実施の形態に係る電気転てつ機の動作状態説明図である。
【図６】本発明の一実施の形態に係る電気転てつ機の動作状態説明図である。
【図７】本発明の一実施の形態に係る電気転てつ機の動作状態説明図である。
【図８】図８（ａ）は図１のＡ矢視図であり、図８（ｂ）は図７のＢ矢視図である。
【図９】従来例に係る電気転てつ機の要部平面図である。
【図１０】従来例に係る電気転てつ機の要部斜視図である。
【符号の説明】
Ｍ…モータ
Ｔ…トングレール
１０…電気転てつ機
１１…ケース
１５…鎖錠ブロック
１５ａ…拘束部
１５ｂ…拘束解除部
１６…スクリュー部材
１７…ナット部材
１８…出力ピニオン
１９…ギア
２０…カムテーブル
２１…一側縁
２２…幅狭部
２３，１２３…幅広部
２４，１２４…カム部
２５…他側縁
２６…凸部
２７，１２７…凹部
２８，１２８…カム部
３０…動作かん
３１…アジャストロッド
４０，１４０…ロックピース
４１，１４１…鎖錠部
４２，１４２…カム溝
５０，１５０…鎖錠かん
５１，１５１…被鎖錠部
５２…接続かん
６０，１６０…鎖錠こま
６１，１６１…矢頭部
６２，１６２…矢尾部
６２ａ，６２ｂ…羽根
７０，１７０…リンク部材
７１，１７１…大カムローラ
７２，１７２…小カムローラ
７３，１７３…曲がり部
【図１】
0003556141.tif 000002
【図２】
0003556141.tif 000003
【図３】
0003556141.tif 000004
【図４】
0003556141.tif 000005
【図５】
0003556141.tif 000006
【図６】
0003556141.tif 000007
【図７】
0003556141.tif 000008
【図８】
0003556141.tif 000009
【図９】
0003556141.tif 000010
【図１０】
0003556141.tif 000011